(57)【特許請求の範囲】
【請求項１】
内視鏡の処置具挿通チャンネルに挿脱されるシースの先端内に複数のクリップが各々窄まった状態で直列に連結された状態に配置され、上記シース内に軸線方向に進退自在に配置された操作ワイヤにより上記複数のクリップを上記シースの先端から順次押し出して、最先端に位置するクリップを一旦開いた後に閉じさせてから上記最先端のクリップと次のクリップとの連結を解くことができるように構成された内視鏡用クリップ装置において、
上記各クリップと上記操作ワイヤが各々導電性の部材により形成されてそれらが電気的に導通する状態に連結され、上記シースが電気絶縁性の部材により形成されると共に、上記操作ワイヤの基端を高周波電源に接続するための接続手段が設けられ、
上記各クリップは各々、支軸を中心に前方に向かって開閉自在であって開閉方向に付勢されていない導電性の部材からなる一対の開閉アームを備えると共に、後端部分にはその後ろに位置するクリップと連結するための導電性部材からなる環状の連結環が形成されていて、その連結環内に上記後ろに位置するクリップの開閉アームが閉じた状態で係合するように構成されていることを特徴とする内視鏡用クリップ装置。
【発明の詳細な説明】
【技術分野】
【０００１】
この発明は内視鏡用クリップ装置に関し、特に、シースの先端内に複数のクリップが直列に連結配置されたいわゆる連発型の内視鏡用クリップ装置に関する。
【背景技術】
【０００２】
連発型の内視鏡用クリップ装置においては一般に、内視鏡の処置具挿通チャンネルに挿脱されるシースの先端内に複数のクリップが各々窄まった状態で直列に連結された状態に配置され、シース内に軸線方向に進退自在に配置された操作ワイヤにより複数のクリップをシースの先端から順次押し出して、最先端に位置するクリップを一旦開いた後に閉じさせてから最先端のクリップと次のクリップとの連結を解くことができるように構成されている（例えば、特許文献１）。
【特許文献１】特開２００６−８７５３７
【発明の開示】
【発明が解決しようとする課題】
【０００３】
上述のような連発型の内視鏡用クリップ装置においては、患部粘膜に対してクリッピングされるクリップと操作ワイヤとの間に複数のクリップが介在していて、操作ワイヤの進退動作がそのような複数のクリップにより伝達されて先端のクリップを動作させる構成になっている。
【０００４】
しかし、例えば先端のクリップが患部粘膜に適正にクリッピングできなかった状態で粘膜に食い付いたまま離れなくなったり、先端のクリップが患部粘膜にうまくクリッピングできた後に、その後に位置するクリップとの連結が外れなくなったりすると、いわゆる「にっちもさっちもいかない」状態になって、場合によっては外科的な対処が必要になってしまうおそれがある。
【０００５】
本発明は、クリッピング処置の最中にクリップが意図した通りに動作しなくなって、にっちもさっちもいかなくなった場合等に、外科的な処置をすることなくその状況を解消することができる内視鏡用クリップ装置を提供することを目的とする。
【課題を解決するための手段】
【０００６】
上記の目的を達成するため、本発明の内視鏡用クリップ装置は、内視鏡の処置具挿通チャンネルに挿脱されるシースの先端内に複数のクリップが各々窄まった状態で直列に連結された状態に配置され、シース内に軸線方向に進退自在に配置された操作ワイヤにより複数のクリップをシースの先端から順次押し出して、最先端に位置するクリップを一旦開いた後に閉じさせてから最先端のクリップと次のクリップとの連結を解くことができるように構成された内視鏡用クリップ装置において、各クリップと操作ワイヤを各々導電性の部材により形成してそれらを電気的に導通する状態に連結し、シースを電気絶縁性の部材により形成すると共に、操作ワイヤの基端を高周波電源に接続するための接続手段を設けたものである。
【０００７】
なお、各クリップの後端部付近に熱破壊され易い脆弱部が形成されていてもよく、その脆弱部が、クリップの断面積を局部的に他の部分より小さくすることにより形成されていて、機械的にも脆弱であってもよい。
【発明の効果】
【０００８】
本発明によれば、各クリップと操作ワイヤを各々導電性の部材により形成してそれらを電気的に導通する状態に連結し、シースを電気絶縁性の部材により形成すると共に、操作ワイヤの基端を高周波電源に接続するための接続手段を設けたことにより、クリッピング処置の最中にクリップが意図した通りに動作しなくなって、にっちもさっちもいかなくなった場合等に、クリップに高周波電流を通電することにより、外科的な処置をすることなくその状況を解消することができる。
【発明を実施するための最良の形態】
【０００９】
内視鏡の処置具挿通チャンネルに挿脱されるシースの先端内に複数のクリップが各々窄まった状態で直列に連結された状態に配置され、シース内に軸線方向に進退自在に配置された操作ワイヤにより複数のクリップをシースの先端から順次押し出して、最先端に位置するクリップを一旦開いた後に閉じさせてから最先端のクリップと次のクリップとの連結を解くことができるように構成された内視鏡用クリップ装置において、各クリップと操作ワイヤを各々導電性の部材により形成してそれらを電気的に導通する状態に連結し、シースを電気絶縁性の部材により形成すると共に、操作ワイヤの基端を高周波電源に接続するための接続手段を設け、各クリップの後端部付近に熱破壊され易い脆弱部を形成する。
【実施例】
【００１０】
以下、図面を参照して本発明の実施例を説明する。
図１は本発明の実施例の内視鏡用クリップ装置を示しており、１は、例えば四フッ化エチレン樹脂チューブ等のような電気絶縁性の可撓性チューブからなる可撓性のシースであり、図示されていない内視鏡の処置具挿通チャンネル内に挿脱自在である。
【００１１】
シース１の先端に取り付けられた先端口金２内には、ばね性のあるＣリング３が配置されている。Ｃリング３は、軸線方向への移動は阻止されているが、先端口金２内で押し広げる状態に弾性変形させることができる。
【００１２】
シース１内には、シース１の基端側に連結された操作部３０から任意に進退操作することができる導電金属製の操作ワイヤ４が挿通配置されていて、その先端に接続管５を介して連結環６が固着連結されている。
【００１３】
シース１の先端近傍内には導電性の金属部材で形成された複数のクリップ１０が互いに電気的に導通した状態に直列に配置されている。各クリップ１０と操作ワイヤ４との間も、接続管５と連結環６を介して電気的に導通している。
【００１４】
クリップ１０は、単体の状態とそれを分解して示す図２及び図３に示されるように、個別に独立して形成された一対の開閉アーム１１を有していて、各開閉アーム１１の先端に形成された先端爪部１２は内方に向かってあい対向する状態に曲げられている。
【００１５】
一対の開閉アーム１１の後端付近には各々軸孔１３が形成されていて、そこに通された支軸１４を中心にして、一対の開閉アーム１１が前方に向かって嘴状に自由に開閉することができる。
【００１６】
１５は、操作ワイヤ４との連結を司る環状の連結環１５ａが後端部に形成された連結用尾部であり、開閉アーム１１の後端部付近を緩く挟み込む形状の一対の平行板部分に、支軸１４が通される支持孔１６が形成されている。なお、連結用尾部１５は、操作ワイヤ４に直接連結されるのではなく、後方のクリップ１０や後述する連結用クリップ２０等を介して操作ワイヤ４と連結される。
【００１７】
１８は、一対の開閉アーム１１を強制的に開閉させるための締め環であり、待機状態においては、図４に示されるように開閉アーム１１の基部付近に緩く被嵌された状態になっている。
【００１８】
そして、図５に示されるように締め環１８を開閉アーム１１に対して相対的に後方に移動させると、開閉アーム１１の後端に形成された駆動カム１１ａに締め環１８がぶつかって、開閉アーム１１が開いた状態にされる。
【００１９】
クリップ１０がシース１の先端から押し出される際には、締め環１８の先端面が一旦Ｃリング３に当接してその位置で停止するので、このような動作が行われ、さらに強い力でクリップ１０がシース１内から押されると、開閉アーム１１が一杯に開いた状態のまま、締め環１８がＣリング３を押し広げながら先端口金２の前方に押し出される。
【００２０】
逆に、図６に示されるように締め環１８が前方に移動すると、開閉アーム１１が強制的に閉じた状態にされる。締め環１８が先端口金２の前方に押し出された後に連結用尾部１５がシース１内に引き戻されると、締め環１８の後端面がＣリング３に当接してこのような動作が行われる。
【００２１】
図１に戻って、シース１の先端近傍内においては、前後に連なって位置する二つのクリップ１０，１０のうち前側に位置するクリップ１０の連結用尾部１５と、後側に位置するクリップ１０の開閉アーム１１とが連結されている。
【００２２】
具体的には、前側のクリップ１０の後端に位置する連結環１５ａ内に、閉じた状態の後側のクリップ１０の開閉アーム１１の先端爪部１２が差し込まれて、電気的にもつながった状態に係合している。
【００２３】
そのようなクリップ１０の連結用尾部１５には、図２及び図３に示されるように、熱破壊され易い脆弱部１９が形成されている。この脆弱部１９は、クリップ１０の断面積を局部的にその部分だけ他の部分より数分の一程度に小さくすることにより形成されており、機械的にも脆弱である。
【００２４】
図１に示される２０は、クリップ１０と同じ構成であって連結環６に分離できないように連結された連結用クリップであり、他のクリップ１０と同様にしてその前側に位置するクリップ１０と連結されている。このようにして連結された全てのクリップ１０，２０がシース１内では閉じていて、シース１がこの状態で内視鏡の処置具挿通チャンネルに挿脱される。
【００２５】
操作部３０には、シース１の基端に連結された操作部本体３１にスライド操作部材３２がスライド自在に係合して配置され、操作ワイヤ４の基端がそのスライド操作部材３２に固定的に連結されている。したがって、操作部３０においてスライド操作部材３２をスライド操作することにより操作ワイヤ４がシース１内で進退する。
【００２６】
また、スライド操作部材３２には、図示されていない高周波電源コードを接続するための接続端子３３が操作ワイヤ４の基端と電気的に導通して配置されている。したがって、接続端子３３に高周波電源コードを接続することにより、操作ワイヤ４の基端が高周波電源に接続され、操作ワイヤ４を介してクリップ１０に高周波電流を通電することができる。
【００２７】
図７〜図９は、内視鏡用クリップ装置の使用状態を示しており、シース１が処置具挿通チャンネルに通されて先端がクリッピング対象の患部に接近したら、操作ワイヤ４を基端側から押し込み操作することにより、図７に示されるように、最先端のクリップ１０がシース１の先端から前方に突出して開いた状態になる。
【００２８】
そして、シース１を前方に押し進める操作をして最先端のクリップ１０の一対の開閉アーム１１で患部粘膜を挟み付けた後、図８に示されるように操作ワイヤ４を基端側に牽引する操作を行うと、後方に少し引き戻された最先端のクリップ１０の開閉アーム１１が締め環１８により強制的に閉じられた状態になって、最先端のクリップ１０が患部粘膜にクリッピングされた状態になる。
【００２９】
そのようにして患部粘膜に対するクリッピングが行われたら、図９に示されるように操作ワイヤ４を再び基端側から押し込み操作すると、最先端のクリップ１０が閉じて患部粘膜をクリッピングした状態でシース１の前方に押し出され、引き続いて二番目のクリップ１０が押し出されて開くことにより最先端のクリップ１０との連結が解除され、最先端のクリップ１０が体内に留置された状態になる。
【００３０】
そのようなクリッピング処置の最中に、例えば図８に示されるように最先端のクリップ１０が患部粘膜にクリッピングされてその開閉アーム１１がもはや開けない状態になった時に、最先端のクリップ１０と二番目のクリップ１０との連結が解けなくなって、にっちもさっちもいかなくなってしまうことがあり得る。図１０は、その部分だけを抜き出して図示したものである。
【００３１】
そのようになった場合には、接続端子３３と操作ワイヤ４を介してクリップ１０に高周波電流を通電すると、脆弱部１９が高周波電流の通電路として格別に断面積が小さいことにより高温に発熱し、その部分が脆くなる。
【００３２】
そこで、操作ワイヤ４を操作部３０から牽引操作すれば、図１１に示されるように、最先端のクリップ１０の脆弱部１９が二番目のクリップ１０により引きちぎられた状態に壊れて、最先端のクリップ１０と二番目のクリップ１０との連結が解かれ、患部粘膜にクリッピングされた最先端のクリップ１０が体内に無事に留置される。
【００３３】
ただし、本発明は上記実施例に限定されるものではなく、例えば脆弱部１９を省略したものであってもよい。
その場合には、図１２に最先端のクリップ１０だけが抜き出して示されるように、先端のクリップ１０が患部粘膜にうまくクリッピングできずに患部粘膜から離れなくなったような時に、高周波電流を通電することにより、図１３に示されるように患部粘膜側が焼灼されて、出血せずに（又は、極めて少ない出血で）組織側を分断してクリップ１０を患部粘膜側から安全に外すことができる。
【図面の簡単な説明】
【００３４】
【図１】本発明の実施例の内視鏡用クリップ装置の全体構成の側面断面図である。
【図２】本発明の実施例の内視鏡用クリップ装置のクリップ単体の斜視図である。
【図３】本発明の実施例の内視鏡用クリップ装置のクリップの分解斜視図である。
【図４】本発明の実施例の内視鏡用クリップ装置のクリップ単体の側面断面図である。
【図５】本発明の実施例の内視鏡用クリップ装置のクリップが強制的に開かれた状態の側面断面図である。
【図６】本発明の実施例の内視鏡用クリップ装置のクリップが強制的に閉じられた状態の側面断面図である。
【図７】本発明の実施例の内視鏡用クリップ装置の動作を順に示す側面断面図である。
【図８】本発明の実施例の内視鏡用クリップ装置の動作を順に示す側面断面図である。
【図９】本発明の実施例の内視鏡用クリップ装置の動作を順に示す側面断面図である。
【図１０】本発明の実施例の内視鏡用クリップ装置において二つのクリップ間の連結が強制的に解かれる直前の状態を示す斜視図である。
【図１１】本発明の実施例の内視鏡用クリップ装置において二つのクリップ間の連結が強制的に解かれた直後の状態を示す斜視図である。
【図１２】本発明の実施例の内視鏡用クリップ装置において患部粘膜に対して最先端のクリップが離れなくなってしまった状態を示す斜視図である。
【図１３】本発明の実施例の内視鏡用クリップ装置において患部粘膜から最先端のクリップが強制的に離された状態を示す斜視図である。
【符号の説明】
【００３５】
１  シース
４  操作ワイヤ
１０  クリップ
１１  開閉アーム
１８  締め環
１９  脆弱部
２０  連結用クリップ
３３  接続端子（接続手段）
【図１】
0004981536.tif 000002
【図２】
0004981536.tif 000003
【図３】
0004981536.tif 000004
【図４】
0004981536.tif 000005
【図５】
0004981536.tif 000006
【図６】
0004981536.tif 000007
【図７】
0004981536.tif 000008
【図８】
0004981536.tif 000009
【図９】
0004981536.tif 000010
【図１０】
0004981536.tif 000011
【図１１】
0004981536.tif 000012
【図１２】
0004981536.tif 000013
【図１３】
0004981536.tif 000014